(57)【特許請求の範囲】
【請求項１】
携帯端末（１０）と，管理サーバ（２０）と，演出制御装置（３０）と，演出出力装置（４０）と，を備える演出システムであって，
前記携帯端末（１０）は，
少なくとも画像データを含むコンテンツデータを記憶するコンテンツ記憶部（１１）と，
ユーザの個人データの入力を受け付ける入力部（１３）と，
前記コンテンツ記憶部（１１）に記憶されているコンテンツデータと前記入力部（１３）に入力された個人データを前記管理サーバ（２０）に送信する通信部（１２）と，を有し，
前記管理サーバ（２０）は，
前記携帯端末（１０）からコンテンツデータと個人データを受信する端末通信部（２１）と，
前記端末通信部（２１）を介してある携帯端末（１０）から受信したコンテンツデータと個人データを関連付けて蓄積するデータベース（２２）と，
前記データベース（２２）に記憶されているコンテンツデータの中から所望のコンテンツデータとこれに関連付けられている個人データを抽出する管理制御部（２３）と，
前記管理制御部（２３）によって抽出されたコンテンツデータと個人データを前記演出制御装置（３０）に送信する制御装置通信部（２４）と，を有し，
前記演出制御装置（３０）は，
前記管理サーバ（２０）からコンテンツデータと個人データを受信する通信部（３１）と，
前記通信部（３１）を介して受信した個人データに基づいてコンテンツデータを編集するコンテンツ編集部（３２）と，
前記演出出力装置（４０）を制御して，前記コンテンツ編集部（３２）によって編集された編集後のコンテンツデータを出力させる装置制御部（３３）と，を有する
演出システム。
【請求項２】
前記演出制御装置（３０）は，少なくとも楽曲データを記憶した演出データ記憶部（３４）を，さらに有し，
前記コンテンツ編集部（３２）は，前記演出データ記憶部（３４）に記憶されている楽曲データに基づいて，コンテンツデータを編集し，
前記装置制御部（３３）は，前記コンテンツ編集部（３２）によって編集された編集後のコンテンツデータを，楽曲データと共に出力するように，前記演出出力装置（４０）を制御する
請求項１に記載の演出システム。
【請求項３】
前記演出システムは，前記演出出力装置（４０）が設置された会場の環境情報が入力される入力装置（５０）をさらに備え，
前記コンテンツ編集部（３２）は，前記入力装置（５０）を介して取得した環境情報に基づいて，コンテンツデータを編集する
請求項１又は請求項２に記載の演出システム。
【請求項４】
前記コンテンツ編集部（３２）は，コンテンツデータに含まれる複数の画像データの色を解析し，当該画像データの色に基づいて，当該画像データの配置を並べ替えるという編集処理を行う
請求項１から請求項３のいずれかに記載の演出システム。
【請求項５】
前記管理サーバ（２０）の管理制御部（２３）は，
前記携帯端末（１０）との間で応答通信を行うことにより，当該携帯端末（１０）を所有するユーザがイベントに参加しているか否かの確認を行う参加者確認手段（２３ａ）と，
前記データベース（２２）に記憶されているコンテンツデータのうち，前記参加者確認手段（２３ａ）によってイベントへの参加が確認できたユーザが所持する前記携帯端末（１０）から受信したコンテンツデータを抽出するデータ抽出手段（２３ｂ）と，を含む
請求項１から請求項４のいずれかに記載の演出システム。
【請求項６】
前記携帯端末（１０）は，
自己の現在の位置情報を取得するための位置情報取得部（１４）をさらに有し，
前記位置情報取得部（１４）によって取得した自己の現在の位置情報を前記管理サーバ（２０）へと送信するものであり，
前記管理サーバ（２０）の参加者確認手段（２３ａ）は，前記携帯端末（１０）から受信した位置情報がイベントの会場の位置情報と一致する場合に，当該携帯端末（１０）を所有するユーザがイベントに参加していると判断する
請求項５に記載の演出システム。
【発明の詳細な説明】
【技術分野】
【０００１】
本発明は，ユーザ参加型のイベント演出システムに関する。具体的に説明すると，本発明の演出システムは，例えばコンサートの参加者が事前にサーバにアップロードした画像データ（写真）や音響データ（歌声）を，そのコンサートでの演出に利用することにより，参加者とアーティストの一体感を高めることのできる演出を提供するシステムに関するものである。
【背景技術】
【０００２】
従来から，コンサートや，ライブ，舞台，結婚式，結婚披露宴のようなイベントの雰囲気を盛り上げるために，様々な演出方法が考案されている。例えば，一般的なイベントの演出方法としては，音楽に合わせて大型のディスプレイに映像を表示したり，スポットライトの照明の色や点灯パターンを変えたりするような演出方法が知られている。
【０００３】
特許文献１には，イベントの演出を行うためのシステムの一種として，主催者等の用意した表示画面に，ユーザの携帯端末装置から発信された付加画像を合成し，各種の意思表示や意見交換等を行えるようにしたものが知られている。例えば，特許文献１のシステムでは，カラオケ装置において，携帯電話等の携帯端末装置から発信された付加データを，楽曲の歌詞や表示画面とともに表示することで，視覚的な“合いの手”効果等を発揮させることができるとされている。また，特許文献１のシステムでは，各ユーザの携帯端末装置において付加画像の加工や編集を行うことが可能であるとされている。
【先行技術文献】
【特許文献】
【０００４】
【特許文献１】特開２００６−２６８４４２号公報
【発明の概要】
【発明が解決しようとする課題】
【０００５】
ところで，特許文献１のシステムは，複数のユーザがそれぞれ付加画像に対して任意の加工や編集を施し，主催者等の用意した表示画面に任意のタイミングで表示できるように構成されている。しかしながら，ユーザの好みに応じて編集された付加画像がバラバラなタイミングで表示画面上に表示されることになると，演出の統一感や一体感が損なわれることとなり，ユーザの思い出に残る美しい演出ができないという問題がある。特に，コンサートのようなイベントでは，アーティストが演奏する楽曲と演出効果に統一感を持たせることが重要であり，楽曲と演出効果とを上手くマッチさせることで，ユーザに対してより強い感動を与えることができる。
【０００６】
また，特許文献１のシステムは，基本的に，各ユーザの発意に基づいて付加画像が表示画面上に出現する。このため，ユーザは付加画像が画面上に現れるのを予め知っているのであって，画面上に付加画像が表れても特に驚き（サプライズ感）を得ることはできない。
【０００７】
さらに，特許文献１のシステムは，各ユーザが携帯端末を利用して個別に付加画像を表示画面上に表示させる操作を行うため，画像の合成装置に携帯端末からのアクセスが集中すると，合成装置での合成処理に遅延が発生するおそれがある。このため，合成装置へのアクセスが集中した状態においては，適切なタイミングで付加画像を表示できなくなるという技術的な課題も残っている。
【０００８】
そこで，本発明は，ユーザから提供された写真等のコンテンツデータをイベントの演出に利用するにあたり，その演出効果とイベントの内容（楽曲等）の統一感を表現するように，各コンテンツデータを適切に編集できるシステムを提供することを目的とする。また，本発明は，イベント当日にユーザに対してサプライズ感があり思い出に残る演出を提供することを目的とする。さらに，本発明は，イベントの演出処理において発生する遅延を解消することを目的とする。
【課題を解決するための手段】
【０００９】
本発明の発明者は，従来発明の問題を解決する手段について鋭意検討した結果，イベントの参加者から写真・動画・音声等のコンテンツデータを予め収集し，それをサーバに蓄積して一元管理しておき，イベント当日にコンテンツデータをまとめて編集して，イベントの内容にあった映像等を作成し，演出効果として出力するというシステムを発案した。このようなシステムによれば，参加者から提供されたコンテンツデータを利用して，イベントの内容と統一感のある映像等をリアルタイムに作成することができ，参加者に対して一体感や強い感動を与えることができる。そして，本発明者は，上記知見に基づけば，従来技術の課題を解決できることに想到し，本発明を完成させた。具体的に説明すると，本発明は以下の構成を有する。
【００１０】
本発明は，イベントなどの演出システムに関する。
本発明に係る演出システムは，携帯端末１０と，管理サーバ２０と，演出制御装置３０と，演出出力装置４０とを備えている。
携帯端末１０は，コンテンツ記憶部１１と通信部１２とを有する。コンテンツ記憶部１１は，少なくとも画像データを含むコンテンツデータを記憶する。通信部１２は，コンテンツ記憶部１１に記憶されているコンテンツデータを管理サーバ２０に送信する。ここにいうコンテンツデータには，画像データの他に，音響データ（音声データ）や，映像データ，テキストデータなど，ディスプレイやスピーカなどの演出出力装置４０を介して出力可能な情報が含まれる。
管理サーバ２０は，端末通信部２１と，データベース２２と，管理制御部２３と，制御装置通信部２４とを有する。端末通信部２１は，携帯端末１０からコンテンツデータを受信する。データベース２２は，端末通信部２１を介して受信したコンテンツデータを蓄積する。管理制御部２３は，データベース２２に記憶されているコンテンツデータの中から所望のコンテンツデータを抽出する。制御装置通信部２４は，管理制御部２３によって抽出されたコンテンツデータを演出制御装置３０に送信する。なお，データベース２２には複数のコンテンツデータを蓄積することができ，管理制御部２３は，データベース２２から複数のコンテンツデータを抽出し，制御装置通信部２４を介して演出制御装置３０へと出力できる。
演出制御装置３０は，通信部３１と，コンテンツ編集部３２と，装置制御部３３とを有する。通信部３１は，管理サーバ２０からコンテンツデータを受信する。コンテンツ編集部３２は，通信部３１を介して受信したコンテンツデータを編集する。装置制御部３３は，演出出力装置４０に接続されており，当該演出出力装置４０を制御して，コンテンツ編集部３２によって編集された編集後のコンテンツデータを出力させる。コンテンツデータが画像データである場合，ここにいうコンテンツデータの編集処理には，コンテンツデータそのものの加工処理（トリミングや配色・カラーフィルタの変更など）の他，コンテンツデータの表示態様（表示パターン）・デザインの加工処理，コンテンツデータを出力するタイミングを楽曲に合わせる制御処理，あるいは複数のコンテンツデータの表示位置の制御処理など，既存の映像編集ソフトで可能な種々の編集処理が含まれる。また，コンテンツが音響データである場合，ここにいうコンテンツデータの編集処理には，音のボリュームや，音域，音質，テンポ，リズム等を編集する処理が含まれる。
【００１１】
上記構成のように，携帯端末１０からアップロードされた写真画像等のコンテンツデータを管理サーバ２０に蓄積しておき，例えばイベント当日などに，管理サーバ２０を通じて所望のコンテンツデータを演出制御装置３０へと送信する。演出制御装置３０は，管理サーバ２０からダウンロードしたコンテンツデータを，イベントの内容（例えば楽曲のリズムやテンポ）に合わせて編集する。これにより，演出制御装置３０において，イベントの参加者の顔写真などのコンテンツデータに対して，イベントの内容にあった統一感のある編集処理を施すことができる。また，イベントの参加者は，自分の写真等がどのようなタイミングでどのような編集処理を施されて表示されるかは知り得ない。このため，イベントの参加者に対してサプライズ感（驚き）のある演出を提供できる。さらに，コンテンツデータの加工処理は演出制御装置３０において一括して行うことができるため，イベントの当日に，管理サーバ２０や演出制御装置３０に携帯端末１０からのアクセスが集中して処理の遅延を招くような事態を回避できる。これにより，遅滞なく適切なタイミングでコンテンツデータの出力が可能になる。
【００１２】
本発明において，演出制御装置３０は，少なくとも楽曲データを記憶した演出データ記憶部３４を，さらに有することが好ましい。コンテンツ編集部３２は，演出データ記憶部３４に記憶されている楽曲データに基づいて，コンテンツデータを編集する。装置制御部３３は，コンテンツ編集部３２によって編集された編集後のコンテンツデータを，楽曲データと共に出力するように，演出出力装置４０を制御する。ここで，楽曲データには，曲のメロディーや，リズム・テンポ，歌詞など，曲を構成する種々のデータが含まれる。このため，コンテンツデータの編集処理には，例えば，各コンテンツデータを曲のメロディーやリズム等に合わせて表示したり切換えたりするための編集や，コンテンツデータの表示位置を調整して複数のコンテンツデータによって曲の歌詞を表すような編集が含まれる。
【００１３】
上記構成のように，楽曲データに合わせてコンテンツデータを編集し，この楽曲データとコンテンツデータを共に出力することで，会場に流れている楽曲と統一感のある演出が可能となる。
【００１４】
本発明の演出システムは，演出出力装置４０が設置された会場の環境情報が入力される入力装置５０をさらに備えることが好ましい。例えば，演出出力装置４０と入力装置５０とは，同じイベント会場内に設置されている。この場合，コンテンツ編集部３２は，入力装置５０を介して取得した環境情報に基づいて，コンテンツデータを編集することが好ましい。ここにいう環境情報には，マイクロフォンで集音した音響情報（アーティストの演奏や観客の声援）や，カメラで撮影した静止画像や動画像，光センサで取得した会場内の照明情報，あるいは会場内の温度や湿度に関する情報などが含まれる。
【００１５】
上記構成のように，イベント会場内の環境情報を演出制御装置３０に入力し，この環境情報に基づいてリアルタイムにコンテンツデータの編集処理を行うことで，臨場感のある演出を行うことができる。例えば，音響や，動画，光，温度，湿度などから参加者が盛り上がっているかどうかを推測し，その盛り上がりの程度に合わせてコンテンツデータの編集処理を適宜変更していくことができる。
【００１６】
本発明の演出システムにおいては，コンテンツデータの編集処理に，参加者（ユーザ）の個人データを反映させることとしてもよい。例えば，イベント当日が誕生日や記念日である参加者の顔写真を取り上げて，ディスプレイに大きく表示するなどの編集を行うことができる。具体的には以下のとおりである。
携帯端末１０は，ユーザの個人データの入力を受け付ける入力部１３をさらに有する。携帯端末の通信部１２は，入力部１３に入力された個人データを，コンテンツデータとともに管理サーバ２０に送信する。ここでの個人データには，ユーザの氏名，性別，誕生日，記念日，好きな言葉，好きな曲名など，コンテンツデータとは区別可能な個人情報（テキストデータ）が含まれる。なお，ユーザの顔写真は，コンテンツデータに含まれる。
管理サーバ２０においては，端末通信部２１は，携帯端末１０からコンテンツデータと個人データとを受信する。データベース２２は，端末通信部２１を介してある携帯端末１０から受信したコンテンツデータと個人データとを関連付けて蓄積する。管理制御部２３は，データベース２２に記憶されているコンテンツデータの中から所望のコンテンツデータと，これに関連付けられている個人データとを抽出する。制御装置通信部２４は，管理制御部２３によって抽出されたコンテンツデータと個人データとを演出制御装置３０に送信する。
演出制御装置３０においては，演出制御装置３０の通信部３１は，管理サーバ２０からコンテンツデータと個人データとを受信する。コンテンツ編集部３２は，通信部３１を介して受信した個人データに基づいて，コンテンツデータを編集する。装置制御部３３は，演出出力装置４０を制御して，コンテンツ編集部３２によって編集された編集後のコンテンツデータを出力させる。
【００１７】
上記構成によれば，参加者の個人データをコンテンツデータの編集処理に反映させることができるため，参加者に対してサプライズ感や一体感を与えることができる。
【００１８】
本発明の演出システムにおいて，コンテンツ編集部３２は，コンテンツデータに含まれる複数の画像データの色を解析し，当該画像データの色に基づいて，当該画像データの配置を並べ替えるという編集処理を行うこととしてもよい。
【００１９】
上記構成によれば，例えば，複数の画像データを代表的な色ごとに分類して表示したり，複数の画像データを利用してアーティストの顔をモザイクアートのように表示することもできる。
【００２０】
本発明の演出システムにおいて，管理サーバ２０の管理制御部２３は，参加者確認手段２３ａとデータ抽出手段２３ｂとを含むことが好ましい。参加者確認手段２３ａは，携帯端末１０との間で応答通信を行うことにより，当該携帯端末１０を所有するユーザがイベントに参加しているか否かの確認を行う機能を持つ。また，データ抽出手段２３ｂは，データベース２２に記憶されているコンテンツデータのうち，参加者確認手段２３ａによってイベントへの参加が確認できたユーザが所持する携帯端末１０から受信したコンテンツデータを抽出する機能を持つ。
【００２１】
上記構成によれば，データベース２２に蓄積されているコンテンツデータのうち，実際にイベントに参加している者に関するコンテンツデータのみを，演出処理に利用することができる。例えば，急遽イベントに参加できなくなった者の写真は演出には使わないといった対策をとることができる。これにより，イベントの演出によって，参加者同士の一体感をさらに高めることができる。
【００２２】
本発明の演出システムにおいて，携帯端末１０は，自己の現在の位置情報を取得するための位置情報取得部１４をさらに有することとしてもよい。また，携帯端末１０は，位置情報取得部１４によって取得した自己の現在の位置情報を管理サーバ２０へと送信する。管理サーバ２０の参加者確認手段２３ａは，携帯端末１０から受信した位置情報がイベントの会場の位置情報と一致する場合に，当該携帯端末１０を所有するユーザがイベントに参加していると判断する。
【００２３】
上記構成のように，携帯端末１０の位置情報を自動的に取得し，その位置情報を利用して参加者がイベントに参加しているかどうかを判断することで，参加・不参加の判断の信頼性を高くすることができる。これにより，参加者に対して実際にイベント会場へと足を運ぶように促すことができる。
【発明の効果】
【００２４】
本発明によれば，ユーザから提供された写真等のコンテンツデータをイベントの演出に利用するにあたり，その演出効果とイベントの内容（楽曲等）の統一感を表現するように，各コンテンツデータを適切に編集できる。また，本発明は，イベント当日にユーザに対してサプライズ感があり思い出に残る演出を提供することができる。さらに，本発明は，イベントの演出処理において発生する遅延を解消することができる。
【図面の簡単な説明】
【００２５】
【図１】図１は，演出システムの概要を示している。
【図２】図２は，演出システムの機能構成を示したブロック図である。
【図３】図３は，コンテンツデータの登録時の処理を示したフロー図である。
【図４】図４は，コンテンツデータの出力時の処理を示したフロー図である。
【図５】図５は，コンテンツデータを利用した演出の一例を示している。
【図６】図６は，コンテンツデータを利用した演出の一例を示している。
【図７】図７は，コンテンツデータを利用した演出の一例を示している。
【図８】図８は，ユーザの参加確認処理の一例を示している。
【図９】図９は，ユーザの参加確認処理の一例を示している。
【発明を実施するための形態】
【００２６】
以下，図面を用いて本発明を実施するための形態について説明する。本発明は，以下に説明する形態に限定されるものではなく，以下の形態から当業者が自明な範囲で適宜変更したものも含む。
【００２７】
［演出システムの構成］
図１は，本発明に係るイベント演出システム１００の全体図を示している。図１に示されるように，本実施形態に係る演出システム１００は，複数の携帯端末１０と，管理サーバ２０と，演出制御装置３０と，演出出力装置４０と，入力装置５０とを含んで構成されている。複数の携帯端末１０は，それぞれインターネット等の情報通信回線６０を介して，管理サーバ２０と相互に接続されている。また，管理サーバ２０は，情報通信回線６０を介して，演出制御装置３０と相互に接続されている。また，演出制御装置３０は，無線又は有線のＬＡＮ（Local Area Network）７０等を介して，各種の演出出力装置４０や入力装置５０に接続されている。
【００２８】
携帯端末１０は，いわゆるスマートフォンなどの携帯型情報端末（ＰＤＡ：Personal Digital Assistant）であり，システムのユーザ（イベントの参加者）によって所持される。管理サーバ２０は，本システムの管理者によって運営されるものであり，例えば携帯端末１０や演出制御装置３０に対してＷｅｂサイトを提供するＷｅｂサーバとして機能する。管理サーバ２０は，複数台のサーバ装置によって構築されたものであってもよい。本システムにおいては，携帯端末１０から管理サーバ２０に対して，画像データや音響データを含むコンテンツデータがアップロードされる。管理サーバ２０は，これらのコンテンツデータを蓄積して一元的に管理するためのデータベース２２を備える。演出制御装置３０は，本システムの運営者によって操作されるものであり，基本的にイベントの会場内に設置されている。演出制御装置３０としては，画像や音響を編集するためのソフトウェアを備えるＰＣを利用すればよい。演出制御装置３０は，管理サーバ２０から所望のコンテンツデータをダウンロードし，これを編集することができる。また，イベントの会場内には，ステージ装置として，複数種類の演出出力装置４０が設置されている。演出出力装置４０としては，例えばディスプレイや，スピーカ，ライトなどが挙げられる。各演出出力装置４０は，演出制御装置３０からの制御を受けて，映像や，音，光などを出力する。入力装置５０は，イベントの会場内の環境情報（音，光，映像，温度，湿度等）を取得するための装置であり，基本的には演出出力装置４０と同じ会場内に設置されている。
【００２９】
本発明の演出システム１００は，コンサートや，ライブ，舞台，結婚式，結婚披露宴のようなイベントに利用することができる。本システムの基本的な機能を説明すると，演出システム１００は，イベントの開催日よりも前に，携帯端末１０からユーザの顔写真や音声などのコンテンツデータを収集し，管理サーバ２０に蓄積しておく。その後，例えばイベントの当日に，そのイベントの参加者のコンテンツデータを，管理サーバ２０から演出制御装置３０へとダウンロードする。演出制御装置３０は，参加者のコンテンツデータをイベントの内容に合わせてまとめて編集し，その編集後のコンテンツデータをディスプレイやスピーカ等の演出出力装置４０を通じて出力する。これにより，イベントの参加者に対して，あたかも自分がステージに上がっているかのような臨場感と一体感を与えることができる。
【００３０】
図２は，演出システム１００を構成する各種装置の機能ブロックを示している。ただし，図２に示した機能ブロックは一例であり，本発明の構成はこれに限定されるものではない。
【００３１】
図２に示されるように，携帯端末１０は，コンテンツ記憶部１１，通信部１２，タッチパネル（入力部）１３，位置情報取得部１４，液晶ディスプレイ（表示部）１５，カメラ１６，マイクロフォン１７，及び端末制御部１８を有する。携帯端末１０の各種の機能部は，端末制御部１８の制御を受けて機能する。
【００３２】
コンテンツ記憶部１１には，ユーザが管理するコンテンツデータが記憶されている。コンテンツデータとしては，例えば，カメラ１６によって撮影された写真の画像データや，動画の映像データ，マイクロフォン１７によって集音された音響データ，あるいは音楽データなどが挙げられる。コンテンツデータは，インターネットを通じてダウンロードされた画像データや音響データが含まれていてもよい。タッチパネル１３の前面には液晶ディスプレイ１５が配置されており，これらによってタッチパネルディスプレイが構成されている。コンテンツ記憶部１１に記憶されている画像データ等は，液晶ディスプレイ１５に表示することができる。位置情報取得部１４は，ＧＰＳ測位を行う機能を持ち，ＧＰＳ衛星から受信した電波に基づいて，自己の現在の位置情報（緯度経度情報）を得ることができる。携帯端末１０は，通信部１２により，インターネットを介して管理サーバ２０と情報のやり取りをすることができる。具体的には，コンテンツ記憶部１１に記憶されているコンテンツデータや，位置情報取得部１４によって取得された現在位置情報，あるいはタッチパネル１３を介して入力された入力情報・操作情報は，通信部１２を介して，管理サーバ２０に送信される。携帯端末１０は，通信部１２を介して，管理サーバ２０から情報（例えばウェブサイト）の提供を受けることができる。
【００３３】
管理サーバ２０は，端末通信部２１，データベース２２，管理制御部２３，及び制御装置通信部２４を有する。管理サーバ２０の各種の機能部は，管理制御部２３の制御を受けて機能する。
【００３４】
管理サーバ２０は，端末通信部２１を介して，携帯端末１０からコンテンツデータ等を受信し，データベース２２に蓄積する。データベース２２には，ユーザや携帯端末１０ごとに，コンテンツデータが記憶されている。具体的には，データベース２２では，ユーザや携帯端末１０を特定するためＩＤ情報と関連付けてコンテンツデータが記憶される。また，管理サーバ２０は，端末通信部２１を介して，携帯端末１０に対してウェブサイト提供し，そのウェブサイトを通じて，各ユーザの個人データや，ユーザが参加するイベントのチケットデータの入力を受け付けることができる。このようにして得られた個人データやチケットデータは，コンテンツデータと共に，各ユーザのＩＤ情報と関連付けてデータベース２２に登録されている。これにより，ＩＤ情報をキーデータとしてデータベース２２を検索することで，各ユーザから取得したコンテンツデータや，個人データ，チケットデータを抽出することができる。ここにいう個人データには，例えば，ユーザの氏名，住所，年齢，誕生日，記念日，好きな言葉，好きなアーティスト名，好きな曲名などの種々の個人情報が含まれる。チケットデータには，ユーザが参加するイベントを特定するためのＩＤ情報や，イベントの開催場所，日時，期間，座席情報，主催者などのイベントに関連する情報が含まれる。これらの個人データやチケットデータは，基本的にテキストデータであり，画像データや音響データであるコンテンツデータとは区別される。その他，データベース２２には，ユーザやイベントに関連する種々の情報を記憶しておくことができる。
【００３５】
管理サーバ２０の管理制御部２３は，データベース２２から所望のデータ（コンテンツデータ，個人データ，チケットデータ等）を抽出して，制御装置通信部２４を介して，演出制御装置３０に送信することができる。具体的には，管理制御部２３は，イベントの当日に，そのイベントの参加者がアップロードしたコンテンツデータや個人データ，チケットデータをデータベース２２して，演出制御装置３０に送信する。管理制御部２３は，イベント当日に自動的にコンテンツデータ等を演出制御装置３０に送信することとしてもよいし，演出制御装置３０から要求があったときにコンテンツデータ等を送信することとしてもよい。例えば，管理制御部２３は，参加者確認手段２３ａと，データ抽出手段２３ｂと，データベース編集手段２３ｃとを有していると観念できる。参加者確認手段２３ａは，携帯端末１０との間で応答通信を行うことにより，当該携帯端末１０を所有するユーザがイベントに参加しているか否かの確認を行う機能を持つ。参加者確認手段２３ａによる具体的な処理については，図８及び図９を参照して後ほど詳しく説明する。データ抽出手段２３ｂは，データベース２２に記憶されているコンテンツデータのうち，参加者確認手段２３ａによってイベントへの参加が確認できたユーザが所持する携帯端末１０から受信したコンテンツデータを抽出する機能を持つ。データベース編集手段２３ｃは，携帯端末１０や演出制御装置３０の要求に応じて，データベース２２のデータ構造や，あるいはデータベース２２に記憶されているコンテンツデータ自体の編集処理を行うことができる。
【００３６】
演出制御装置３０は，通信部３１と，コンテンツ編集部３２と，演出データ記憶部３４と，コンテンツ記憶部３５と，演出制御部３６とを有する。演出制御装置３０の各種の機能部は，演出制御部３６の制御を受けて機能する。
【００３７】
演出制御部３６は，通信部３１を通じて，管理サーバ２０にコンテンツデータ，個人データ，チケットデータ等のダウンロード要求を行うことができる。演出制御部３６は，管理サーバ２０からダウンロードしたコンテンツデータ等をコンテンツ記憶部３５に記憶する。このように，コンテンツ記憶部３５は，管理サーバ２０からダウンロード可能なデータの保管に利用される。他方，演出データ記憶部３４には，イベントで使用する楽曲データや，映像データ，照明効果データなど，イベントでの演出に使用される各種データが記憶されている。演出データ記憶部３４に記憶されているデータは，基本的に，各ユーザから提供されたものではなく，イベントの運営者によって予め作成・準備されたものである。この点において，演出データ記憶部３４に記憶されているデータは，コンテンツ記憶部３５に記憶されているコンテンツデータ等と区別される。演出データ記憶部３４には，少なくともイベントの演奏で使用される楽曲データが記憶されていることが好ましい。楽曲データは，例えば，曲のメロディー，リズム・テンポ，歌詞（テキスト）のデータなどの楽曲を構成するデータによって構成されたものである。
【００３８】
コンテンツ編集部３２は，コンテンツ記憶部３５に記憶されているコンテンツデータを読み出して，これを編集する機能を持つ。例えば，コンテンツ編集部３２は，ユーザの顔写真などの画像データを編集する画像編集部３２ａと，ユーザの音声などの音響データを編集する音響編集部３２ｂを有している。画像編集部３２ａと音響編集部３２ｂは別々に機能しても良いし，同時に機能するものであってもよい。コンテンツ編集部３２によるコンテンツデータの編集方法については，様々なものが考えられる。例えば，コンテンツ編集部３２は，ユーザの顔写真を一枚ずつ並べたスライドショーを作成してもよいし，複数の顔写真をタイル状に並べて一度の多数の顔写真を同時に表示するようにしてもよい。また，コンテンツ編集部３２は，画像データの色情報を解析して，代表的な色情報を抽出し，色の分類に基づいて複数の画像データを配置することよってモザイクアートを形成するような編集処理を行うこともできる。複数の参加者の顔写真を利用して，一人のアーティストの顔をモザイクアートとして形成することも可能である。また，コンテンツ編集部３２は，ステージ上で演奏されている楽曲に合うように，ユーザの歌声や歌のテンポ（コンテンツデータ）を編集してもよいし，複数の歌声を重ねあわせて合唱となるような編集を行っても良い。さらに，ユーザの個人データを参照して，イベント当日が記念日や誕生日であるユーザの写真画像を大きく取り上げてディスプレイ上に表示するような編集も可能である。また，コンテンツが音響データである場合，ここにいうコンテンツデータの編集処理には，音のボリュームや，音域，音質，テンポ，リズム等を編集する処理が含まれる。
コンテンツデータの編集の例については，後ほどさらに詳しく説明する。
【００３９】
装置制御部３３は，コンテンツ編集部３２によって編集されたコンテンツデータを，各種の演出出力装置４０に出力させる制御を行う。演出出力装置４０としては，例えば，画像・映像を表示するディスプレイ４１や，音声・楽曲を放音するスピーカ４２，様々な色の光を放射するライト４３などが挙げられる。装置制御部３３は，これらの演出出力装置４０の制御を行うものである。各種の演出出力装置４０は，イベントのステージの演出に利用される機器であり，基本的にイベントが行われる会場内に設置されている。
【００４０】
本発明に係る演出システム１００においては，演出出力装置４０と同じ会場内に入力装置５０が設置されている。入力装置５０の例は，会場内の音響情報が入力されるマイクロフォン５１や，光の色情報・強度情報が入力される光センサ５２，イベント会場内の映像情報が入力されるカメラ５３，イベント会場内の温度情報・湿度情報が入力される湿温センサ５４である。これらの入力装置５０によって取得された会場内の環境情報は，装置制御部３３を通じて演出制御装置３０に入力され，コンテンツデータの編集に利用される。例えば，コンテンツ編集部３２は，マイクロフォン５１で集音された音響情報（アーティストの演奏や観客の声援）を解析し，一定の音量以上であると判断した場合には会場内が盛り上がっていると推定し，コンテンツデータの編集方法をより派手なものに変更することができる。同様に，コンテンツ編集部３２は，光センサ５２が検知した光の強度や，カメラ５３が撮影した動画，あるいは湿温センサ５４が検知した温度・湿度などから，特定のパラメータが閾値を超えたものと判断したときに，コンテンツデータの編集方法を変化させることもできる。このように，会場内の環境情報からのフィードバックを受けてコンテンツデータの編集方法を制御することで，会場内の状況と一体感のある演出を提供できる。
【００４１】
［演出システムの処理フロー］
図３は，イベントの開催前に行われるコンテンツデータ等の登録処理のフロー図を示している。まず，イベントの参加者は，任意の方法で，イベントのチケットを購入する（ステップＳ１）。チケットの購入手続は，電子チケットによりコンピュータの処理により行われるものであってもよいし，コンピュータの処理でなくてもよい。
【００４２】
その後，管理サーバ２０は，例えばチケットを購入した参加者の携帯端末１０に電子メール等を送信し，イベント用の特設サイトのＵＲＬを提供する（ステップＳ２）。携帯端末１０は，管理サーバ２０から特設サイトのＵＲＬを受信すると（ステップＳ３），参加者の操作によって，その特設サイトへアクセスする（ステップＳ４）。管理サーバ２０は，携帯端末１０からのアクセスを受け，この携帯端末１０に対してイベントの特設サイトを提供する。この特設サイトには，コンテンツデータや，参加者の個人データ，イベントのチケットデータなどの各種データを入力するための入力画面が含まれる。参加者は，特設サイトの入力画面に従い，携帯端末１０を操作して，管理サーバ２０にアップロードをするコンテンツデータを作成したり（顔写真の撮影や音声の入力），すでに携帯端末１０内に記憶されているコンテンツデータを選択する。また，参加者は，自身の氏名，住所，年齢，誕生日，記念日，好きな言葉などの種々の個人データを入力する。また，参加者は，チケットに記載されているイベントのＩＤ情報や，開催場所，日時，期間，座席情報等を入力する（ステップＳ６）。
【００４３】
参加者によって入力されたコンテンツデータ等は，携帯端末１０を通じて，管理サーバ２０へとアップロードされる（ステップＳ７）。管理サーバ２０は，携帯端末１０からコンテンツデータを含む各種のデータを受信し（ステップＳ８），これをデータベース２２に登録する（ステップＳ９）。管理サーバ２０は，このような一連の処理を複数の携帯端末１０に対して行い，複数の携帯端末１０からコンテンツデータを収集し，データベース２２に蓄積する。管理サーバ２０は，コンテンツデータの収集・蓄積が完了した段階で，データベース２２のデータ構造やコンテンツデータを編集する処理を行うこともできる（ステップＳ１０）。
【００４４】
図４は，イベント当日に行われるコンテンツデータ等の編集処理のフロー図を示している。イベントの当日になると，携帯端末１０と管理サーバ２０との間で，携帯端末１０のユーザが実際にイベントに参加しているかどうかの確認処理が行われる（ステップＳ１１）。ただし，この参加確認処理は任意の処理であり，本システムにおいては必ずしも行う必要はない。参加確認処理についての詳細は後述する。
【００４５】
管理サーバ２０は，データベース２２の中から，イベントの参加者によってアップロードされたコンテンツデータや，個人データ，チケットデータを抽出する（ステップＳ１２）。管理サーバ２０は，データベース２２に登録されているチケットデータ（イベントの開催日時等）を参照することで，データベース２２に記憶されているコンテンツデータ等が，今回のイベントの参加者のものであるかどうかを確認して抽出することができる。特に，管理サーバ２０は，上記した参加確認処理（ステップＳ１１）により，実際にイベントに参加することが確認できたユーザのコンテンツデータ等をデータベース２２から抽出することが好ましい。データベース２２の中には，チケットを購入したものの急遽イベントに参加できなくなってしまったユーザのコンテンツデータが記憶されている可能性もある。このため，イベント当日に参加確認処理（ステップＳ１１）を行うことで，実際にイベントに参加しているユーザのコンテンツデータ等のみを抽出し，イベントに参加できなくなってしまったユーザについてはコンテンツデータを抽出しないようにすることができる。管理サーバ２０は，このようにしてデータベース２２から抽出したコンテンツデータ等を，演出制御装置３０へ送信する。
【００４６】
演出制御装置３０は，管理サーバ２０から配置されたコンテンツデータや，参加者の個人データ，チケットデータを受信し，コンテンツ記憶部３５に保存する（ステップＳ１４）。演出制御装置３０は，これらのコンテンツデータ等を編集して，イベントの内容や参加者の個人データを反映した新しいコンテンツデータを作成し（ステップＳ１５），編集後のコンテンツデータを演出出力装置４０に送信する（ステップＳ１６）。演出出力装置４０は，演出制御装置３０による制御に従って，編集後のコンテンツデータを出力する（ステップＳ１７）。
【００４７】
また，イベントが開始されると入力装置５０が起動し，各種の入力装置５０にはイベント会場内の環境情報（音響情報，光情報，映像情報，湿温情報等）が入力される（ステップＳ１８）。各種の入力装置５０は，取得した環境情報を演出制御装置３０に伝達し，演出制御装置３０はこれを受信する（ステップＳ１９）。演出制御装置３０は，入力装置５０から得られた環境情報に基づいて，コンテンツデータの編集を行うことができる（ステップＳ１５）。これにより，会場内の環境情報を反映してコンテンツデータを編集し，会場内の状況に適した演出を実行することができる。
【００４８】
また，本システムにおいては，イベント会場においてユーザが撮影した写真を，会場内の参加者全員で共有することができる。具体的に説明すると，携帯端末１０からアップロードされた写真等のコンテンツデータは，管理サーバ２０のデータベース２２に記録されている。このため，管理サーバ２０は，データベース２２へアクセスするためのＵＲＬ等を携帯端末１０に提供することで，このデータベース２２に記憶されている写真を，各携帯端末１０から自由に閲覧したりダウンロードしたりできるようにすればよい。また，管理サーバ２０は，イベント毎に，ユーザがアップロードした写真をまとめたアルバムを作成し，このアルバム内の写真をユーザに閲覧させるようにすることもできる。このようにすれば，イベント会場においてユーザが撮影した写真を，その会場内の参加者全員で共有することが可能となる。
【００４９】
また，本システムにおいては，演出制御端末３０において編集を行った画像や音声などのコンテンツデータを，管理サーバ２０を介して，ユーザの携帯端末１０に配信することもできる。この場合，演出制御端末３０は，通信部３１を通じて，編集済みのコンテンツデータを，管理サーバ２０にアップロードする。管理サーバ２０は，制御装置通信部２４を通じて，編集済みのコンテンツデータ受信し，これをデータベース等に格納するとともに，端末通信部２１を通じて，編集済みのコンテンツデータを複数の携帯端末１０へと配信する。携帯端末１０は，通信部１２を通じて，編集済みのコンテンツデータを受信し，これを液晶ディスプレイ１５やマイクロフォン１７から出力する。これにより，イベントで使用された写真等のコンテンツデータを，イベント参加者全員で共有することが可能となる。
【００５０】
［コンテンツデータによる演出例］
ここで，コンテンツデータの編集処理（ステップＳ１５）についてさらに詳しく説明する。図５から図７には，本発明に係る演出システム１００によって実行されるコンテンツデータを利用した演出例が示されている。図５に示した演出例では，参加者によってアップロードされた画像データや動画データを利用してスライドショーを作成し，大型ディスプレイに表示している。スライドショーは一枚ずつ画像データ等を表示するものであり，アーティストによって演奏される楽曲のテンポやリズムに応じて，その画像データの切り替えが行われる。例えば，演出制御装置３０のコンテンツ編集部３２は，演出データ記憶部３４に記憶されている楽曲データのテンポやリズムを解析し，このテンポやリズムに合わせて画像データが切り替わるように，参加者の画像データのスライドショーを作成する編集処理を行えばよい。また，コンテンツ編集部３２は，会場内に設置されたマイクロフォン５１によってアーティストが実際に演奏している楽曲の音響情報を取得し，そのテンポやリズムを解析して，このテンポやリズムに合わせて画像データが切り替わるように，参加者の画像データのスライドショーを作成することもできる。さらに，図５に示されたスライドショーは，会場が盛り上がる場面で表示されるように設定されている。例えば，コンテンツ編集部３２は，演出データ記憶部３４に記憶されている楽曲データを解析して，曲のサビが開始される場面で，画像データのスライドショーを開始させることもできる。また，コンテンツ編集部３２は，会場内に設置されたマイクロフォン５１に入力された音響情報を解析し，会場内の音量が閾値を超えたときに，画像データのスライドショーを開始させることもできる。
【００５１】
図６に示した演出例では，参加者によってアップロードされた複数の画像データをタイル状に並べて，大型ディスプレイに表示している。例えば，タイル状の画像データは，楽曲のリズムに合わせて動くように編集されていてもよいし，楽曲の歌詞を表すように編集されていてもよい。例えば，演出制御装置３０のコンテンツ編集部３２は，演出データ記憶部３４に記憶されている楽曲データのテンポやリズムを解析し，このテンポやリズムに合わせて画像データが動くように編集処理を行えばよい。また，コンテンツ編集部３２は，会場内に設置されたマイクロフォン５１によってアーティストが実際に演奏している楽曲の音響情報を取得し，そのテンポやリズムを解析して，このテンポやリズムに合わせて画像データが動くように編集することもできる。さらに，コンテンツ編集部３２は，演出データ記憶部３４に記憶されている楽曲データに含まれる歌詞データを抽出し，その歌詞の一部を形づくるように画像データを並べ替える編集処理を行うこともできる。また，図示は省略するが，コンテンツ編集部３２は，コンテンツデータに含まれる複数の画像データの色を解析し，その画像データの色に基づいて，その画像データの配置を並べ替えるという編集処理を行うこともできる。例えば，コンテンツ編集部３２は，複数の画像データを代表的な色ごとに分類して配置したり，複数の画像データを利用してアーティストの顔をモザイクアートのように表示したりすることも可能である。
【００５２】
図７に示した演出例では，参加者によってアップロードされた複数の画像データがタイル状に並べて表示されるとともに，参加者によってアップロードされた歌声がアーティストの演奏に合わせて会場内で再生されている。これにより，会場内では，参加者とアーティストによる合唱のような演出が行われている。また，図７の演出例では，参加者の顔写真を一人ひとり大きく表示するとともに，その大きく表示された参加者の歌声を他の参加者の歌声よりも大音量で再生している。例えば，演出制御装置３０のコンテンツ編集部３２は，演出データ記憶部３４に記憶されている楽曲データのテンポやリズムを解析し，このテンポやリズムに合わせて，参加者の歌声のデータのテンポやリズムを調整する編集処理を行うことができる。また，コンテンツ編集部３２は，会場内に設置されたマイクロフォン５１によってアーティストが実際に演奏している楽曲の音響情報を取得し，そのテンポやリズムを解析して，このテンポやリズムに合わせて参加者の歌声のデータを調整することも可能である
【００５３】
また，図示は省略するが，演出制御装置３０のコンテンツ編集部３２は，参加者の個人データに基づいて，コンテンツデータを編集することもできる。例えば，参加者の個人データには，参加者の誕生日や何らかの記念日に関する情報が含まれている。そこで，コンテンツ編集部３２は，参加者の誕生日や記念日がイベントの開催日と同日である場合あるいは近日内である場合には，その参加者からアップロードされた画像データを，ディスプレイ上に大きく表示したり，特別な編集処理を施して目立つように表示したりすることができる。これにより，参加者に対して思い出に残る特別な演出を行うことができる。また，参加者の個人データには，各参加者の好きな曲名に関する情報が含まれている。そこで，コンテンツ編集部３２は，イベント内でアーティストが演奏する曲名と参加者の好きな曲名が一致するときに，その参加者からアップロードされた画像データをディスプレイ上に表示するといった編集を行うことができる。このように，参加者の個人データに基づいて，コンテンツデータを編集することで，より参加者とアーティストとの一体感のある演出を実行できる。
【００５４】
また，例えば，演出制御装置３０のコンテンツ編集部３２は，参加者のチケットデータに基づいて，コンテンツデータを編集することもできる。例えば，チケットデータには，参加者の座席の位置に関する情報が含まれている。そこで，そこで，コンテンツ編集部３２は，参加者からアップロードされた画像データを，参加者の座席位置に基づいて並べ替えて，大型ディスプレイ上に表示することも可能である。
【００５５】
［参加確認処理］
図８は，図４に示した参加確認処理（ステップＳ１１）の一例を示している。図８に示した参加確認処理では，イベントの当日に，ユーザにイベントへの参加を表明してもらうことで，ユーザの参加を確認する。まず，ユーザは，携帯端末１０を介して管理サーバ２０が提供する特設サイトにログインする（ステップＳ１１−Ａ１）。管理サーバ２０は，ユーザのログインと受け付けると，携帯端末１０に対して参加確認画面を提供する（ステップＳ１１−Ａ２）。ユーザは，携帯端末１０に表示された参加確認画面に従い，イベントに参加しているかそれとも不参加であるかの返答を携帯端末１０に入力する（ステップＳ１１−Ａ３）。管理サーバ２０は，ユーザからの返答に従って，どのユーザがイベントに参加しているかどうかを判断する（ステップＳ１１−Ａ４）。ユーザから参加の返答を受けた場合（Ｓ１１−Ａ５），管理サーバ２０は，図４に示したステップＳ１２に進み，データベース２２から参加を表明しているユーザのコンテンツデータ等を抽出する。他方，ユーザから参加の返答を受けた場合（Ｓ１１−Ａ６），管理サーバ２０は，データベース２２からコンテンツデータ等を抽出せずに処理を終了させる。
【００５６】
図９は，図４に示した参加確認処理（ステップＳ１１）の別の例を示している。図９に示した参加確認処理では，イベントの当日に，管理サーバ２０が自動的に携帯端末１０の所在位置を判定し，実際にユーザがイベント会場に居るかどうかの判断を行う。まず，管理サーバ２０は，イベントの開始を確認すると（ステップＳ１１−Ｂ１），携帯端末１０に対して位置情報の取得を要求する（ステップＳ１１−Ｂ２）。携帯端末１０は，管理サーバ２０からの要求を受けて，ＧＰＳ測位によって自己の現在の位置情報を取得し（ステップＳ１１−Ｂ３），その位置情報を管理サーバ２０に送信する（ステップＳ１１−Ｂ４）。管理サーバ２０は，携帯端末１０から受信した位置情報とイベント会場の位置情報の照合を行う（ステップＳ１１−Ｂ５）。そして，管理サーバ２０は，携帯端末１０の位置情報とイベント会場の位置情報が一致しているかどうかを判断する（ステップＳ１１−Ｂ６）。携帯端末１０の位置情報がイベント会場の位置情報と一致していると判断した場合（Ｓ１１−Ｂ７），管理サーバ２０は，ユーザがイベントに参加しているものと判断し，図４に示したステップＳ１２に進み，データベース２２からイベントに参加しているユーザのコンテンツデータ等を抽出する。他方，携帯端末１０の位置情報がイベント会場の位置情報と一致していないと判断した場合（Ｓ１１−Ｂ８），管理サーバ２０は，データベース２２からコンテンツデータ等を抽出せずに処理を終了させる。
【００５７】
上記のように参加確認処理を行うことで，イベントへの参加が確認できたユーザのコンテンツデータのみをイベントの演出に利用することができる。このように，実際にイベント会場内にいるユーザのコンテンツデータを利用してイベントの演出を行うことで，ユーザ同士の一体感を高めることができる。
【００５８】
また，上述したように，本発明のシステムでは，イベント会場においてユーザが撮影した写真を，会場内の参加者全員で共有することが可能である。また，演出制御端末３０において編集を行った画像や音声などのコンテンツデータを，管理サーバ２０を介して，ユーザの携帯端末１０に配信することができる。このようなコンテンツの配信処理において，上記した参加確認処理を行うこととしてもよい。具体的には，コンテンツデータを携帯端末１１に配信するにあたり，参加確認処理を通じてイベントへの参加が確認できたユーザの携帯端末１１に対してのみ，コンテンツデータを配信することとすればよい。
【００５９】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００６０】
本発明は，ユーザ参加型のイベント演出システムに関する。従って，本発明は，エンターテイメント産業において好適に利用しうる。
【符号の説明】
【００６１】
１０…携帯端末              １１…コンテンツ記憶部
１２…通信部                １３…タッチパネル（入力部）
１４…位置情報取得部        １５…液晶ディスプレイ
１６…カメラ                １７…マイクロフォン
１８…端末制御部            ２０…管理サーバ
２１…端末通信部            ２２…データベース
２３…管理制御部            ２３ａ…参加者確認手段
２３ｂ…データ抽出手段      ２３ｃ…データベース編集手段
２４…制御装置通信部        ３０…演出制御装置
３１…通信部                ３２…コンテンツ編集部
３２ａ…画像編集部          ３２ｂ…音響編集部
３３…装置制御部            ３４…演出データ記憶部
３５…コンテンツ記憶部      ３６…演出制御部
４０…演出出力装置          ４１…ディスプレイ
４２…スピーカ              ４３…ライト
５０…入力装置              ５１…マイクロフォン
５２…光センサ              ５３…カメラ
５４…湿温センサ            １００…演出システム
【図１】
0006599662.tif 000002
【図２】
0006599662.tif 000003
【図３】
0006599662.tif 000004
【図４】
0006599662.tif 000005
【図５】
0006599662.tif 000006
【図６】
0006599662.tif 000007
【図７】
0006599662.tif 000008
【図８】
0006599662.tif 000009
【図９】
0006599662.tif 000010